(57)【特許請求の範囲】
【請求項１】
リール間隔の異なるテープカセットであって、サイズの大きな第１のカセットとサイズの小さな第２のカセットを受け入れて、テープ上の情報を再生又は記録する記録再生装置であって、上記第１及び第２のカセットの左右一対のリールのいずれかを載せて回転する、それぞれリールギアを有する一対のリール台と、上記各リール台を搭載した、回動可能な一対のリールベースと、上記各リールベースの回動中心を中心として回転する、それぞれが上記リールギアのいずれかと噛み合う一対の中間ギアとを備え、上記リール台が上記中間ギアを介して駆動される記録再生装置であって、
上記一対の中間ギアのいずれか一方と選択的に噛み合う２つの位置の間を移動可能な振り子ギアをさらに備え、上記リール台が上記振り子ギア及び上記中間ギアを介して駆動される記録再生装置において、
上記一対のリールベースには、それぞれの根元部外周に第１の円弧状のギアと第２の円弧状のギアが形成され、当該第１及び第２の円弧状のギアが互いに噛み合うよう構成されていると共に、上記一方のリールベースは、上記第１の円弧状のギア又は上記第２の円弧状のギアの該リールベースの回動中心を中心として略反対側に、第３の円弧状のギアを有していて、
上記第３の円弧状のギアは、上記第１のカセットか上記第２のカセットかを判別するカセット判別部材により駆動されるよう構成されている
ことを特徴とする記録再生装置。
【請求項２】
上記カセット判別部材はカセット判別爪とリール駆動アームとを有し、上記第２のカセットを上記記録再生装置に装着したとき、上記カセット判別爪が押されて奥に進み、この動きで上記リール駆動アームが回動して、該リールアームに設けられたギアにより上記第３の円弧状ギアが回動するように構成されていることを特徴とする請求項１に記載の記録再生装置。
【請求項３】
上記リール台の回転を検出する回転センサが、上記中間ギアに装着されていることを特徴とする請求項１又は２に記載の記録再生装置。
【発明の詳細な説明】
【０００１】
【発明の属する技術分野】
本発明は、記録媒体であるテープ上の情報を再生又は記録する記録再生装置に関する。特には、いわゆるコンパチブル方式の家庭用ビデオ・カセット・レコーダ（ＶＣＲ）に代表される、リール間隔の異なる大小複数種類のテープカセットを装着可能な記録再生装置に関する。
【０００２】
【従来の技術】
ＶＣＲを例にとって従来技術を説明する。
図５及び図６は、特開平９−２２３３４１号に開示されているコンパチブル方式のＶＣＲの主要機構を示す平面図である。図５は小カセット装着状態、図６は大カセット装着状態である。
【０００３】
初めに、テープ走行系について説明する。
ＶＣＲの主要メカニズムを搭載したメカシャーシ１０３上には、左右一対の、供給側リール台１０１と巻取側リール台１０２が配置されている。両リール台１０１、１０２には、テープカセットＴＣのテープ供給側リール１０５とテープ巻取側リール１０６がそれぞれ装着される。
【０００４】
カセットＴＣの供給側リール１０５から引き出された磁気テープＴは、以下の経路を引き回されている。同リール１０５の左上に示されているガイドローラ１０７→供給側のテンションレギュレータ１０８のローラ１０８ａ→入側スライド部材１０９に支持された垂直ガイド１１０→同様の傾斜ガイド１１１→磁気ヘッドを有する回転ドラム１１２→出側スライド部材１１３に支持された傾斜ガイド１１４→同様の垂直ガイド１１５→キャプスタン１１６及びピンチローラ１１７→巻取側のテンションレギュレータ１１８のローラ１１８ａ→ガイドローラ１１９→巻取側リール１０６。これらの機構はテープ走行系を構成している。
【０００５】
上述した両リール台１０１、１０２は、それぞれリールベース１２６、１２７上の支持軸１２６ａ、１２７ａに回転可能に軸支されている。各リールベース１２６、１２７は、支点軸１２４、１２５を支点として回動する。このリールベース１２６、１２７の回動動作により、左右のリール台１０１と１０２の間隔が、小カセットに対応する位置と大カセットに対応する位置のいずれかに位置決め可能である。なおリールベースの駆動機構は図示されていない。
【０００６】
また、両リール台１０１、１０２には、その底部に、リール台ギア１０１ａ、１０２ａ（歯部の図示は省略）が付設されている。これらのリール台ギアのいずれかには、振り子ギア１３０が選択的に噛み合い、いずれかのリール台がテープを巻き取る方向に回転駆動される。振り子ギア１３０は、首振りフレーム１３１の一端側に回転可能に軸支されている。首振りフレーム１３１は、その中間部に軸ボス１３２が圧入支持されており、同軸ボス１３２を中心として回動する。振り子ギア１３０は駆動ギア１３３と噛み合い、駆動モータ（図示されず）の回転は、駆動ギア１３３及び振り子ギア１３０を介していずれかのリール台１０１、１０２に選択的に伝えられる。
【０００７】
【発明が解決しようとする課題】
上述従来のＶＣＲでは、カセットサイズに応じて移動するリール台１０１、１０２のギア１０１ａ、１０２ａに、直接振り子ギア１３０を噛み合わせていた。この振り子ギア１３０は、テープ走行方向が切り換わると、左右に首を振って、テープを巻き取る側のリール台１０１又は１０２のギアに噛み合う。その際の首振り角度は、大カセット時には、図６から読み取れるように９０°近くと大きくなっていた。その結果、テープ走行方向を切り換える際の、テープ駆動の滑らかな立上がりが阻害され、方向切り換え時間をより短くすることが困難であった。
【０００８】
また、左右リール台の回転センサ（図示されず）を、大カセット位置と小カセット位置の２カ所ずつ計４カ所設置する必要があった。この回転センサは、受発光フォトカップラー（図示されず）からなり、リール台側に貼られた反射テープ（図示されず）に光を当ててその反射光を検出するものである。この回転センサは、リール台の回転速度や累積回転数を知るためのものである。なお、同センサはメカシャーシ１０３の側に固定されている。
【０００９】
本発明は、このような問題点に鑑みてなされたもので、テープ走行方向切り換え時間の短縮を可能とする記録再生装置を提供することを目的とする。
【００１０】
【課題を解決するための手段】
かかる課題を解決するため本発明においては、サイズの大きな第１のカセットのリールと、サイズの小さな第２のカセットのリールを、一対のリールベースに搭載された回動可能な一対のリール台に載せて、選択的に振り子ギアと噛み合ったリールギア側のリールを駆動する構成を基本構成として、リールベースの回動中心を中心として回動する一対の中間ギアのいずれか一方に振り子ギアを選択的に噛み合わせ、一対のリールベースに設けた第１及び第２の円弧状のギアを互いに噛み合わせると共に、第１又は第２の円弧状のギアのリールベースにその回動中心を中心として略反対側に設けた第３の円弧状のギアをカセット判別部材によって駆動するようにする。
【００１１】
上記中間ギアは、リールベースの回動中心に配置されているため、カセットサイズが変っても中間ギアの位置は変化しない。したがって、中間ギアを駆動する機構（振り子ギア等の移動ギアあるいはベルト機構等）のテープ走行方向切り換え時の移動距離は、カセットサイズが変っても変化しない。そのため、同移動距離をできるだけ短くすることができ、テープ走行方向の切り換え時間を短くすることが可能となる。
【００１２】
【発明の実施の形態】
以下、図面を参照しつつ説明する。
図１及び図２は、本発明の１実施例に係るＶＣＲのリール駆動系統を示す平面図である。
図１は、小カセット装着時を示し、図２は大カセット装着時を示す。
図中には、二点鎖線で小カセット５及び大カセット７が示されている。
以下に説明するリール駆動機構は、金属製の板であるメカシャーシ３上に搭載されている。
【００１３】
左右のリール台１１、１３は、円板状のものであり、カセット５、７内のリール（図示されず）を載せて回転する。リール台１１、１３の上面中心には、カセット側のリールの中心孔に係合するリール係合軸１１ａ、１３ａが立設されている。なお、通常のＶＣＲは、テープが左のリールから右のリールに走行するのを正転と呼んでおり、左側のリール台１１を供給側リール台、右側のリール台１３を巻取側リール台と呼ぶ。各リール台１１、１３は、左右のリールベース１５、２５上に回転自在に軸支されている。各リールベース１５、２５は、その回動軸１５ａ、２５ａにおいて、シャーシ３上に回動自在に軸支されている。このリールベース１５、２５の回動に応じて、左右のリール台１１、１３が上部中央寄りに近接した図１の状態では小カセット５を装着可能であり、左右外側に離れた図２の状態では大カセット７を装着可能である。
【００１４】
各リール台１１、１３は、上下３段の同心円形をしており、下段・最外周にはギア１１ｃ、１３ｃが形成されている。これらのギア１１ｃ、１３ｃは、中間ギア（アイドルギア）１７又は２３、振り子ギア１９を介して、リールモーターのギア２１によって選択的に回転駆動される。
【００１５】
各リール台１１、１３の中段部外周１１ｂ、１３ｂには、テンションレギュレータ（以下テンレギと略称）のブレーキバンド３２、３６が約半周巻き付いている。このテンレギブレーキバンド３２、３６は走行せず、テープ送り出し側のリール台１１又は１３（非駆動）に押し当てられ、該リール台との外面に摺動抵抗が生じる。その結果、両リール間のテープには、ブレーキバンド３２又は３６からリール台１１又は１３にかかる摺動抵抗分の引張力（テンション）がかかる。各ブレーキバンド３２、３６にかかる力は、各テンレギアーム３３、３５の回動中心３３ａ、３５ａ回りの回動角度に応じて変化する。そして、各テンレギアーム３３、３５の回動角度は、その先端部のテンレギローラ３３ｂ、３５ｂにかかるテープ（図示されず）のテンションによって変化する。結局、これらのテンレギの機構によって、ある一定範囲内のテンションがテープにかかるように自動的にコントロールされる。
【００１６】
左右のリールベース１５、２５は、略扇形をした板状の部材であり、上述のように、扇形の根元の回動軸１５ａ、２５ａにおいて、シャーシ３に回動自在に軸支されている。図２に示すように、左側の供給側リールベース１５の根元部外周には、回動軸１５ａを中心とする円弧状のギア１５ｂが形成されている。一方、右側の巻取側リールベース２５の根元部外周にも、回動軸２５ａを中心とする円弧状のギア２５ｂが形成されている。両ギア１５ｂと２５ｂは互いに噛み合っており、左右のリールベース１５、２５は、互いに同期して逆回りに回動する。さらに、右側のリールベース２５の扇形の外周部にも、円弧状のギア２５ｃが形成されている。このギア２５ｃは、図３、４に示すリール駆動アーム４１の外周のギア４１ｂと噛み合っている。詳しくは後述するが、装着されるカセットサイズに応じて、リール駆動アーム４１の回動位置が決まる。それに応じて、左右のリールベース１５、２５が回動して、図１の小カセット状態と図２の大カセット状態とが切り換わる。
【００１７】
中間ギア１７、２３は、上述のように、それぞれ左右のリールベース１５、２５の回動軸１５ａ、２５ａの回りに回転自在に軸支されている。したがって、リールベース１５、２５が回動しても中間ギア１７、２３の位置は変らない。中間ギア１７、２３には、それぞれリールギア１１ｃ、１３ｃが噛み合っている。
【００１８】
振り子ギア１９は、リールモーターギア２１の回転軸２１ａを中心として回動する振り子アーム（図示されず）上に回転自在に搭載されている。また、振り子ギア１９は、リールモーターギア２１と噛み合っている。したがって、振り子ギア１９は、リールモーターギア２１の外周に沿って遊星ギアのように公転しうる。振り子ギア１９は、振り子アームの回動に応じて、左右いずれかの中間ギア１７、２３と選択的に噛み合う。なお振り子アームは、リール駆動モーターによって駆動され、テープの走行方向に応じた巻き取り側のリール１１又は１３に寄るようにスイングする。したがって、選択されるリール１１又は１３には、リールモーターギア２１、振り子ギア１９、中間ギア１７又は２３、リールギア１１ｃ又は１３ｃを介して、リール駆動モーターの回転力が伝達される。上述のように、中間ギア１７、２３の位置がカセットサイズによって変らないため、中間ギア１７と２３は比較的近接した位置にあり、振り子ギア１９のスイング幅はかなり短くなっている。
【００１９】
図３、４は、リールベース１５、２５の回動メカニズムを示す図である。
図３は、小カセット装着時であり、図４は大カセット装着時である。
図３、４（Ａ）は平面図であり、図３、４（Ｂ）はリール駆動スライダ周りの側面図である。
【００２０】
右のリールベース２５の外周に切られているギア２５ｃは、リール駆動アーム４１の外周に切られているギア４１ｂと噛み合っている。このリール駆動アーム４１は、右側の回動軸４１ａを中心に回動する。リール駆動アーム４１は、駆動支点４１ｃにおいてリール駆動スライダ４５と連結されている。このリール駆動スライダ４５は、図３の小カセット装着時は、カセット判別爪４３に押されて奥側に進んでいる。なお、このカセット判別爪４３は、小カセット装着時には図３（Ｂ）に示すように下に沈んでおり、大カセット装着時には、図４（Ｂ）に示すようにカセットにより持ち上げられている。したがって、リール駆動スライダ４５は、小カセット装着時には、爪４３に押されて奥に進み、この動きでリール駆動アーム４１は、時計方向に回動して奥側に回り込んでいる。このリール駆動アーム４１の回動により、ギア４１ｂ、２５ｃを介して、右側のリールベース２５は反時計回りに回動している。また、左側のリールベース１５は、時計回りに回動している。その結果、左右のリールベース１１と１３は近寄った小カセット装着位置にある。なお、図中符号４２は、リール駆動アーム４１に開けられた穴である。
【００２１】
一方、大カセット装着状態では、図４（Ｂ）に示すように爪４３はリール駆動スライダ４５に係合しないため、リール駆動スライダ４５は奥に押されずに手前側にあって、リール駆動アーム４１も手前側の位置にある。なお、何もカセットを入れないときは、バネ付勢により図４の大カセット状態となっている。そのため、図４（Ａ）に示すような左右のリールベース１１と１３が互いに遠ざかった大カセット装着状態となっている。
【００２２】
本実施例のＶＣＲ１では、中間ギア１７及び２３の下側に回転センサ３９、３９′がそれぞれ配置されている。この回転センサは、受発光フォトカップラー（図示されず）からなり、各中間ギアに貼られた反射テープ（図示されず）に光を当てその反射光を検出するものである。この回転センサにより、リール台の回転速度や累積回転数を知ることができる。上述のように、従来は左右リール台に反射テープを貼り、回転センサ（図示されず）を、大カセット位置と小カセット位置に対応する左右リール台位置の２カ所ずつ、計４カ所メカシャーシに設置する必要があったが、本実施例においては、カセットサイズが変っても中間ギア１７及び３９の位置は変らないので、大カセット時も小カセット時も一組の回転センサ３９、３９′でリールの回転検出を行える。すなわち、中間ギア１７及び２３の回転検出を行い、リール台１１及び１３の回転速度や累積回転数をギア比に基づいて換算する。したがって回転センサは、左右のリール台に対して１個ずつ合計２個ですむ。
【００２３】
【発明の効果】
以上の説明から明らかなように、本発明の記録再生装置では、リールベースの根元側に設けた第１及び第２の円弧状のギアと、反対側に設けた第３の円弧状のギアとによって、リール台の位置を移動できるようにすると共に、カセットサイズが変わってもテープ走行方向切り換え時における中間ギアに対する振り子ギアの移動距離をできるだけ短くすることができ、これにより短い切り換え時間で滑らかに切り換えることができる。
【図面の簡単な説明】
【図１】本発明の１実施例に係る小カセット装着時のＶＣＲのリール駆動系統を示す平面図である。
【図２】本発明の１実施例に係る大カセット装着時のＶＣＲのリール駆動系統を示す平面図である。
【図３】小カセット装着時のリールベースの回動メカニズムを示す図である。（Ａ）は平面図であり、（Ｂ）はリール駆動スライダ周りの側面図である。
【図４】大カセット装着時のリールベースの回動メカニズムを示す図である。（Ａ）は平面図であり、（Ｂ）はリール駆動スライダ周りの側面図である。
【図５】特開平９−２２３３４１号に開示されている小カセット装着状態のコンパチブル方式のＶＣＲの主要機構を示す平面図である。
【図６】特開平９−２２３３４１号に開示されている大カセット装着状態のコンパチブル方式のＶＣＲの主要機構を示す平面図である。
【符号の説明】
１…ＶＣＲビデオ・カセット・レコーダ、３…メカシャーシ、
５…テープカセット小、７…テープカセット大、１１…供給側リール台、
１３…巻取側リール台、１５…供給側リールベース、１７…中間ギア、
１９…振り子ギア、２１…リールモーターギア、２３…中間ギア、
２５…巻取側リールベース、３１…ブレーキドラム、３２…ブレーキバンド、
３３、３５…テンレギアーム、３６…ブレーキバンド、３７…ブレーキドラム
３９…回転センサ、４１…リール駆動アーム、４３…カセット判別爪、
４５…リール駆動スライダ、
１０１…供給側リール台、１０２…巻取側リール台、
１０１ａ、１０２ａ…リール台ギア、１０３…メカシャーシ、
１０５…供給側リール、１０６…巻取側リール、１０７…ガイドローラ、
１０８、１１８…テンションレギュレータ、１０９、１１３…スライド部材、
１１０、１１５…垂直ガイド、１１１、１１４…傾斜ガイド、
１１２…回転ドラム、１１６…キャプスタン、１１７…ピンチローラ、
１１９…ガイドローラ、１２４、１２５…支点軸、
１２６、１２７…リールベース、１３０…振り子ギア、
１３１…首振りフレーム、１３２…軸ボス、１３３…駆動ギア
【図１】
0003690627.tif 000002
【図２】
0003690627.tif 000003
【図３】
0003690627.tif 000004
【図４】
0003690627.tif 000005
【図５】
0003690627.tif 000006
【図６】
0003690627.tif 000007